【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
施錠装置を有するセキュリティ装置のための分離器であって、
前記施錠装置を施錠解除する解除手段と、
この解除手段に結合されたモータと、
前記解除手段及び前記モータを内部に収納し、ネストを含むハウジングであって、前記モータは前記ネストに対する前記解除手段の運動を生じさせるハウジングとを備える分離器において、
前記施錠装置は磁力で作動し、
前記解除手段は磁石を含むと共に、
前記分離器は、セキュリティタグのためのアンテナを更に備え、このアンテナは前記ハウジング内に配置されており、
前記セキュリティタグのためのアンテナはＲＰＩＤタグアンテナであることを特徴とする分離器。
【請求項２】
前記セキュリティタグはＥＡＳタグである請求項１の分離器。
【請求項３】
前記ＥＡＳタグはＲＦタグである請求項２の分離器。
【請求項４】
前記ＥＡＳタグは音響磁気タグである請求項２の分離器。
【請求項５】
前記セキュリティタグは組合せＥＡＳ／ＲＦＩＤタグである請求項１の分離器。
【請求項６】
前記ハウジング内に配設されたセキュリティタグリーダを更に含んで成る請求項１の分離器。
【請求項７】
前記セキュリティタグリーダはＲＦＩＤタグリーダである請求項６の分離器。
【請求項８】
前記セキュリティタグリーダは組合せＥＡＳ／ＲＦＩＤタグのためのものである請求項６の分離器。
【請求項９】
前記セキュリティ装置は磁力作動施錠装置を含んで成る請求項１の分離器。
【請求項１０】
請求項１の分離器であって、前記磁力で作動する施錠装置は、
磁力作動のラッチと；
前記磁力作動のラッチを前記施錠位置に偏倚させる可撓性要素と；
前記磁力作動のラッチが前記施錠位置にあるときに前記磁力作動のラッチと係合するラッチはめ込み要素と；
を含んで成る分離器。
【請求項１１】
前記セキュリティ装置は光ディスクのためのセキュリティ装置である請求項１の分離器。
【請求項１２】
前記セキュリティ装置は拘束された細長い要素のためのセキュリティ装置である請求項１の分離器。
【請求項１３】
前記セキュリティ装置はケーブルを有するセキュリティ装置である請求項１の分離器。
【請求項１４】
前記セキュリティ装置はボトルのためのセキュリティ装置である請求項１の分離器。
【請求項１５】
前記セキュリティ装置はフックタグセキュリティ装置である請求項１の分離器。
【請求項１６】
前記ハウジング内に配設されたマグネットシールドを更に含んで成る請求項１の分離器。
【請求項１７】
前記マグネットシールドは前記ネストと前記磁石の間に配設されている請求項１６の分離器。
【請求項１８】
物品識別装置を一体的に更に含んで成る請求項１の分離器。
【請求項１９】
前記物品識別装置はバーコードスキャナである請求項１８の分離器。
【請求項２０】
前記ネストに隣接して配設された近接センサを含んで成る請求項１の分離器。
【請求項２１】
物品に取り付けられたセキュリティ装置を識別し；
前記セキュリティ装置の識別に基づいて磁界の強度を決定し；
少なくとも前記強度を有する前記磁界を領域に供給し；
前記セキュリティ装置の少なくとも一部を前記領域内に位置させ前記物品から前記セキュリティ装置を磁力によって解錠する；
ことを含んで成るセキュリティ方法。
【請求項２３】
請求項２１のセキュリティ方法であって、前記領域が分離器内にあり、該分離器は分離器ハウジングと、該分離器ハウジング内に配設された移動磁石を含むセキュリティ方法。
【請求項２４】
請求項２１のセキュリティ方法であって、前記磁石が前記領域に関するデフォルト位置を有し、その位置では磁力によって前記分離器は前記セキュリティ装置を解錠できないセキュリティ方法。
【請求項２５】
請求項２４のセキュリティ方法であって、前記モータへの電力が遮断されたときに、前記磁石は前記デフォルト位置に戻るセキュリティ方法。
【請求項２６】
請求項２４のセキュリティ方法であって、前記磁石は、マネジメントオーバライドによって、前記デフォルト位置から外れるように動くセキュリティ方法。
【請求項２７】
請求項２１のセキュリティ方法であって、前記領域が分離器内に在り、該分離器は分離器ハウジングを有し、前記分離器ハウジング内に磁石が配設され、前記分離器ハウジングと前記磁石は相対的に移動可能であるセキュリティ方法。
【請求項２８】
請求項２７のセキュリティ方法であって、前記分離器が前記分離器ハウジングに結合されたモータをさらに含み、該モータは前記分離器ハウジングを動かすことにより、それに対する相対運動を生じるセキュリティ方法。
【請求項２９】
請求項２１のセキュリティ方法であって、前記領域は分離器に隣接するセキュリティ方法。
【請求項３０】
請求項２１のセキュリティ方法であって、前記セキュリティ装置はセキュリティ装置ハウジングと、該セキュリティ装置ハウジング内に配設されたセキュリティタグを含み、前記セキュリティ装置が前記セキュリティタグ内のコード化された情報を読むことによって識別されるセキュリティ方法。
【請求項３１】
請求項３０のセキュリティ方法であって、前記セキュリティタグは、前記物品を識別するコード化情報を更に含んで成るセキュリティ方法。
【請求項３２】
請求項３０のセキュリティ方法であって、前記セキュリティタグはＲＦＩＤタグであるセキュリティ方法。
【請求項３３】
請求項３０のセキュリティ方法であって、前記セキュリティタグはＥＡＳタグであるセキュリティ方法。
【請求項３４】
請求項３０のセキュリティ方法であって、前記セキュリティタグは組合せＥＡＳ／ＲＦＩＤタグであるセキュリティ方法。
【請求項３５】
請求項２１のセキュリティ方法であって、前記セキュリティ装置はセキュリティ装置ハウジングと、該セキュリティ装置ハウジング内に配設された施錠装置を含み、該施錠装置が磁力作動ラッチを含み、前記磁力は前記磁力作動ラッチを施錠位置から外れるように移動させることによって前記セキュリティ装置を解錠する方法。
【請求項３６】
請求項３５のセキュリティ方法であって、前記施錠装置は、前記磁力作動ラッチに隣接して配設された可撓性要素であって前記磁力作動ラッチを前記施錠位置に偏倚させる可撓性要素を含んで成る方法。
【請求項３７】
請求項３６のセキュリティ方法であって、前記施錠装置はさらにラッチはめ込み要素を含み、前記磁力作動ラッチは前記ラッチはめ込み要素との係合時に前記施錠位置に位置する方法。
【請求項３８】
セキュリティ装置のカテゴリーを決定する手段と；
前記セキュリティ装置のカテゴリーに基づいて決定された強度の磁界を与える手段と；
前記磁界を用いて前記セキュリティ装置を解錠する手段と；
を含んで成るセキュリティシステム。
【請求項３９】
複数のセキュリティ装置であって、各セキュリティ装置が複数のセキュリティレベルの１つに設計されている複数のセキュリティ装置と；
前記セキュリティレベルによって前記各セキュリティ装置を識別する販売場所装置と；
磁石と分離領域を有する分離器であって、前記磁石は前記分離領域に関する複数の位置の間で移動可能であり、前記各位置は前記複数のセキュリティレベルの１つに関連し、前記各位置における前記磁石は、前記位置に関連するセキュリティレベル以下のセキュリティレベルに設計されたいずれのセキュリティ装置をも解錠するのに十分な磁界を前記分離領域に生じさせる分離器と；
を含んで成るセキュリティシステム。
【手続補正２】
【補正対象書類名】図面
【補正対象項目名】図２０
【補正方法】変更
【補正の内容】
【図２０】
2008542881.tif 000001
【手続補正３】
【補正対象書類名】図面
【補正対象項目名】図２１
【補正方法】変更
【補正の内容】
【図２１】
2008542881.tif 000002
【手続補正４】
【補正対象書類名】図面
【補正対象項目名】図２２
【補正方法】変更
【補正の内容】
【図２２】
2008542881.tif 000003
【手続補正５】
【補正対象書類名】図面
【補正対象項目名】図２３
【補正方法】変更
【補正の内容】
【図２３】
2008542881.tif 000004
【手続補正６】
【補正対象書類名】図面
【補正対象項目名】図２４
【補正方法】変更
【補正の内容】
【図２４】
2008542881.tif 000005